(57)【要約】【課題】フリッカーの発生を抑制したアクティブマトリクス型有機ＥＬ表示装置を提供する。【解決手段】インターレース信号を表示信号として用いたアクティブマトリクス型ＥＬ表示装置において、第１フィールドの表示と第２フィ−ルドの表示を選択的に間引きするフィールド間引き制御回路４０を設けた。また、フィールド間引き制御回路４０は、この機能に加え、フィールドを選択的に間引きする機能をオンオフすることができるものである。フィールド間引き制御回路４０は、フィールド間引き選択信号ＳＡ及び間引きオンオフ制御信号ＳＢが入力されたオア回路４１と、このオア回路４１の出力と垂直スタート信号ＳＴＶが入力されたアンド回路４２から構成されている。【選択図】  図１
2005107167.tif 000002
【特許請求の範囲】
【請求項１】
複数の画素を備え、外部から入力されるインターレース信号が前記複数の画素に表示されるアクティブマトリクス型ＥＬ表示装置において、
第１フィールドの表示と第２フィ−ルドの表示を選択的に間引きする、フィールド間引き機能を有するフィールド間引き制御回路を備えることを特徴とするアクティブマトリクス型ＥＬ表示装置。
【請求項２】
前記フィールド間引き制御回路は、前記フィールド間引き機能のオンオフを制御可能であることを特徴とする請求項１に記載のアクティブマトリクス型ＥＬ表示装置。
【請求項３】
行及び列に配列された複数の画素と、
インターレース信号を表示信号として前記複数の画素に供給する水平駆動回路と、
垂直スタート信号に応じて各行に対応する画素を選択する垂直駆動回路と、
フィールド間引き選択信号に応じて、前記垂直スタート信号の出力を選択的に停止することにより、第１フィールドの表示と第２フィ−ルドの表示を選択的に間引きするフィールド間引き機能を有するフィールド間引き制御回路と、を備えることを特徴とするアクティブマトリクス型ＥＬ表示装置。
【請求項４】
前記フィールド間引き制御回路は、間引きオンオフ制御信号に応じて、
前記フィールド間引き機能のオンオフを制御可能であることを特徴とする請求項３に記載のアクティブマトリクス型ＥＬ表示装置。
【請求項５】
前記フィールド間引き制御回路は、前記フィールド間引き選択信号及び前記間引きオンオフ制御信号が入力されたオア回路と、
前記オア回路の出力と前記垂直スタート信号が入力されたアンド回路と、を有することを特徴とする請求項４に記載のアクティブマトリクス型ＥＬ表示装置。
【請求項６】
前記各画素は、前記垂直駆動回路からの画素選択信号に応じて前記水平駆動回路からの前記インターレース信号を画素に書き込む画素選択トランジスタと、画素に書きこまれた該インターレース信号を保持する信号保持回路と、ＥＬ素子と、前記保持回路に保持された信号に応じて前記ＥＬ素子を駆動するＥＬ駆動トランジスタと、を有することを特徴とする請求項３、４、５のいずれかに記載のアクティブマトリクス型ＥＬ表示装置。
【請求項７】
前記ＥＬ素子は有機ＥＬ素子であることを特徴とする請求項６に記載のアクティブマトリクス型ＥＬ表示装置。
【請求項８】
前記信号保持回路は容量素子から成ることを特徴とする請求項６に記載のアクティブマトリクス型ＥＬ表示装置。
【請求項９】
前記インターレース信号が静止画像信号であることを特徴とする請求項１、２、３、４、５、６、７、８のいずれかに記載のアクティブマトリクス型ＥＬ表示装置。
【発明の詳細な説明】
【技術分野】
【０００１】
本発明は、インターレース信号を表示するアクティブマトリクス型ＥＬ表示装置に関する。
【背景技術】
【０００２】
従来、デジタルスチルカメラ、デジタルビデオカメラ等の表示装置として、高精細画像や動画対応への要求から、アクティブマトリクス型液晶表示装置が広く用いられている。そして、この種の表示装置の表示信号としては、解像度向上のために一般に、ＮＴＳＣ等のインターレース信号が用いられる。
【０００３】
ところで、デジタルスチルカメラのファインダーに用いられるアクティブマトリクス型液晶表示装置では、要求される仕様から、表示画面のライン数は２４０本程度と少なく設定されている。
【０００４】
そこで、このようなアクティブマトリクス型液晶表示装置でインターレース信号の表示を行う場合には、図４に示すように、第１フィールドと第２フィールドにおいて、全てのラインにインターレース信号を重ね書きして表示を行うようにしている。
【０００５】
すなわち、第１フィールドでは奇数フィールドに対応するインターレース信号を１番目のラインから２４０番目のラインに書き込み（図中において実線で表す）、次に、第２フィールドでは偶数フィールドに対応するインターレース信号を同様にして１番目のラインから２４０番目のラインに書き込む（図中において破線で表す）ことで１フレームの表示を行っていた。
【０００６】
なお、インターレース信号を表示する液晶表示装置については、以下に掲げる特許文献１，２，３に記載されている。
【特許文献１】特開平７−３０８３６号公報
【特許文献２】特開平７−２６１７１３号公報
【特許文献１】特開平９−２６５２７８号公報
【発明の開示】
【発明が解決しようとする課題】
【０００７】
本発明者は、表示画面のライン数が２４０本程度であり、インターレース信号を重ね書きして表示を行うアクティブマトリクス型有機ＥＬ表示装置を検討した。アクティブマトリクス型有機ＥＬ表示装置は、画素に有機ＥＬ素子等のＥＬ素子を用いているため、アクティブマトリクス型液晶表示装置に比して、表示のレスポンスが格段に速く、動きの速い動画表示に適している。例えば、有機ＥＬ表示装置では表示のレスポンスは、数μ秒と速いのに対して、アクティブマトリクス型液晶表示装置では、それは２０ｍ秒〜３０ｍ秒と遅い。
【０００８】
しかしながら、アクティブマトリクス型有機ＥＬ表示装置では、表示のレスポンスが速いが故に、フリッカー（表示画面のちらつき）が生じ易いという問題点があることが判明した。例えば、あるラインが第１フィールドで白データが書き込まれ、第２フィールドで黒データが書き込まれると、白から黒への表示の変化が急速に生じ、この変化が人間の目にはフリッカーとして感じられてしまう。特に、静止画像では動画画像に比してフリッカーが目立ちやすい。
【０００９】
そこで、本発明はインタ−レース信号を表示信号として入力した場合にフリッカーの発生を抑えたアクティブマトリクス型有機ＥＬ表示装置を提供するものである。
【課題を解決するための手段】
【００１０】
本発明は、インターレース信号を表示信号として用いたアクティブマトリクス型ＥＬ表示装置において、第１フィールドの表示と第２フィ−ルドの表示を選択的に間引きするフィールド間引き制御回路を設けたことを特徴とするものである。
【００１１】
また、フィールド間引き制御回路は、この機能に加え、フィールドを選択的に間引きする機能をオンオフする機能を有するものである。
【発明の効果】
【００１２】
本発明によれば、第１フィールドの表示と第２フィ−ルドの表示を選択的に間引きすることで、フリッカーの発生を抑えることが可能になる。特に、静止画像では、各画素に繰り返し、同じ表示信号が書き込まれることになるので、フリッカーの発生が完全に抑制されその改善効果は大きい。
【００１３】
また、第１フィールドの表示と第２フィ−ルドの表示を選択的に間引きすることで、表示画面の解像度は落ちるが、フィールド間引き制御回路は、フィールドを選択的に間引き機能をオンオフする機能を有しているので、この機能をオンしてフリッカー抑制を優先するか、この機能をオフして解像度を優先するかを自由に選択することができるという効果も有する。
【実施例】
【００１４】
次に、本発明の実施例によるアクティブマトリクス型有機ＥＬ表示装置ついて図面を参照しながら説明する。図１はこのアクティブマトリクス型有機ＥＬ表示装置を示す回路図である。複数の画素は行及び列に配列され、画素領域１０を構成している。各画素は、ゲート信号線１１とドレイン信号線１２の各交差点付近に配置されている。  本実施例では、画素領域１０のライン数、すなわち行の数は、２４０であり、インターレース駆動するには不足する本数である。なお、このライン数は２４０には限られず、その前後、例えば２２０〜２５０のライン数も含まれる。
【００１５】
ゲート信号線１１には、垂直駆動回路３０から画素選択信号が出力され、ドレイン信号線１２には水平駆動回路２０からインターレース信号が表示信号として出力される。そして、各画素は、ゲートがゲート信号線１１に接続され、ドレインがドレイン信号線１２に接続された画素選択ＴＦＴ１３と、ゲートに画素選択ＴＦＴ１３のソースが接続され、ソースに正駆動電圧ＰＶｄｄが供給された有機ＥＬ駆動ＴＦＴ１４と、アノードが有機ＥＬ駆動ＴＦＴ１４のドレインに接続され、カソードに負駆動電圧ＣＶが印加された有機ＥＬ素子１５と、一端が画素選択ＴＦＴ１３のソースに接続され、その他端に固定電圧が印加された容量素子１６と、から構成されている。
【００１６】
ここで、ＴＦＴは薄膜トランジスタ（thin film transistor）を表す。画素選択ＴＦＴ１３はＮチャネル型、有機ＥＬ駆動ＴＦＴ１４はＰチャネル型であるが、これに限られない。いま、ゲート信号線１１に出力される画素選択信号がハイレベルになると、画素選択ＴＦＴ１３がオンし、ドレイン信号線１２からインターレース信号が画素に書き込まれる。画素に書き込まれたインターレース信号は、容量素子１６に保持される。有機ＥＬ駆動ＴＦＴ１４はそのインターレース信号に応じた電流を有機ＥＬ素子１５に流す。これにより、有機ＥＬ素子１５は、その電流に応じて発光する。
【００１７】
水平駆動回路２０には、外部より、表示信号であるインターレース信号Ｖｓｉｇ、水平スタート信号ＳＴＨ、水平クロック信号ＣＫＨ１，ＣＫＨ２がそれぞれ入力される。水平駆動回路２０は、水平スタート信号ＳＴＨを水平クロック信号ＣＫＨ１，ＣＫＨ２に同期してシフトし、複数のサンプリングパルスを順次発生するシフトレジスタ（不図示）を有している。インターレース信号Ｖｓｉｇは、これらのサンプリングパルスに同期してサンプリングされ、各ドレイン信号線１２に出力される。インターレース信号Ｖｓｉｇを各ドレイン信号線１２に出力する方式には、いわゆる点順次方式と線順次方式があるが、それらのどちらの方式を用いてもよい。
【００１８】
垂直駆動回路３０には、フィールド間引き制御回路４０からの垂直スタート信号ＳＴＶａ、垂直クロック信号ＣＫＶ１，ＣＫＶ２がそれぞれ入力される。垂直駆動回路３０は、垂直スタート信号ＳＴＶａを水平クロック信号ＣＫＨ１，ＣＫＨ２に同期してシフトして画素選択信号を作成するシフトレジスタを有しており、それらの画素選択信号を各ゲート信号線１１に順次出力する。
【００１９】
フィールド間引き制御回路４０は、図２に示すように、フィールド間引き選択信号ＳＡ及び間引きオンオフ制御信号ＳＢが入力されたオア回路４１と、このオア回路４１の出力と垂直スタート信号ＳＴＶが入力されたアンド回路４２から構成されている。フィールド間引き選択信号ＳＡは第１フィールド（例えば、奇数フィールド）の表示と第２フィールド（例えば、偶数フィールド）の表示とを選択的に間引くための信号であり、間引きオンオフ制御信号ＳＢはフィールド間引き機能のオンオフを制御するための信号である。  
【００２０】
図２に示すように、フィールド間引き選択信号ＳＡは第１フィールドの表示を間引くときは、第１フィールドの期間、ハイレベルとなり、第２のフィールドの期間、ロウレベルになる。また、間引きオンオフ制御信号ＳＢがロウレベルのときに、間引き機能はオンとなり、それがハイレベルのときは、間引き機能はオフとなる。
【００２１】
次に、上述したアクティブマトリクス型有機ＥＬ表示装置の動作について図３を参照しながら説明する。
【００２２】
まず、間引きオンオフ制御信号ＳＢがハイレベルのときは、オア回路４１の出力は、フィールド間引き選択信号ＳＡに関わらず、常にハイレベルとなり、アンド回路４２から垂直スタート信号ＳＴＶが、フィールド間引き制御回路４０の出力として、そのまま出力される。フィールド間引き制御回路４０から出力された垂直スタート信号ＳＴＶは、垂直駆動回路３０に入力される。垂直駆動回路３０は、この垂直スタート信号ＳＴＶを水平クロック信号ＣＫＨ１，ＣＫＨ２に同期してシフトして画素選択信号を作成する。したがって、この場合は、解像度が優先され、第１フィールドと第２フィールドにおいて、全てのラインにインターレース信号が重ね書き表示される。
【００２３】
すなわち、第１フィールドでは奇数フィールドに対応するインターレース信号が１番目のラインから２４０番目のラインに書き込まれ、次に、第２フィールドでは偶数フィールドに対応するインターレース信号を同様にして１番目のラインから２４０番目のラインに重ねて書き込むことで１フレームの表示が行われる。
【００２４】
一方、間引きオンオフ制御信号ＳＢがロウレベルのときは、間引き機能がオン状態となり、フィールド間引き選択信号ＳＡに応じて間引き表示されるフィールドが選択される。図３では、第２フィールドの表示を間引く場合を示している。第１フィールドの期間では、フィールド間引き選択信号ＳＡはハイレベルでありオア回路４１の出力はハイレベルとなるので、アンド回路４２から垂直スタート信号ＳＴＶが、フィールド間引き制御回路４０の出力として、そのまま出力される。したがって、第１フィールドの表示が行われる。
【００２５】
次の第２フィールドの期間では、フィールド間引き選択信号ＳＡはロウレベルであり、オア回路４１の出力はロウレベルとなるので、アンド回路４２の出力はロウレベルに固定され、垂直スタート信号ＳＴＶはフィールド間引き制御回路４０から出力されない。すると、垂直駆動回路３０から画素選択信号が出力されず、水平駆動回路２０から、第２フィールドに対応したインターレース信号が出力されていても、各画素にそのインターレース信号は書き込まれない。したがって、第２フィールドの表示は間引きされる。  
【００２６】
そして、第２フィールドの期間は、第１フィールドの表示が引き続き行われる。これは、第１フィールドの期間に各画素に書き込まれたインターレース信号が各画素の容量素子１６で保持されているためである。逆に、第１フィールドの表示を間引きたい場合には、第１フィールドの期間に、フィールド間引き選択信号ＳＡをロウレベルに設定すればよい。
【００２７】
上述したフィールド間引きによれば、フィールドのいずれかのフィールドの表示が停止され、第１フィールドと第２フィールドのいずれかのフィールドのみが表示されるので、
フリッカーの発生を抑制することができる。特に、静止画像のインターレース信号を表示する場合には、奇数フィールド又は偶数フィールドのインターレース信号が、各画素に繰り返し書き込まれて表示されるので、フリッカーの発生を完全に抑制することができる。
【００２８】
なお、本実施例では、各画素に有機ＥＬ素子１５を用いているが、これに限らず、無機ＥＬ素子や、その他のＥＬ素子、ＬＥＤ素子を用いてもよい。また、各画素の容量素子１６は、各画素に書き込まれたインターレース信号を保持する保持回路の一例であり、これに限らず、ＳＲＡＭ等の他の保持回路を用いてもよい。
【図面の簡単な説明】
【００２９】
【図１】本発明の実施例によるアクティブマトリクス型有機ＥＬ表示装置を示す回路図である。
【図２】フィールド間引き制御回路の回路図である。
【図３】本発明の実施例によるアクティブマトリクス型有機ＥＬ表示装置の動作を説明する波形図である。
【図４】インターレース信号の表示を説明する図である。
【符号の説明】
【００３０】
１０  画素領域                  １１  ゲート信号線          １２  ドレイン信号線
１３  画素選択信号              １４  有機ＥＬ駆動ＴＦＴ    １５  有機ＥＬ素子  １６  容量素子                  ２０  水平駆動回路          ３０  垂直駆動回路
４０  フィールド間引き制御回路  ４１  オア回路              ４２  アンド回路
【図１】
2005107167.tif 000003
【図２】
2005107167.tif 000004
【図３】
2005107167.tif 000005
【図４】
2005107167.tif 000006